(57)【特許請求の範囲】
【請求項１】
有底筒状の前カバー及び後カバーが互いの開口側端部を付き合わされた状態で分離可能に結合された電動機カバーと、該電動機カバーに設けられた持ち手とを備えた扇風機であって、
前記前カバーと前記後カバーとの付合せ部の一方には、他方の前記開口側端部が嵌入可能な筒状フランジが外側に突出して形成され、該筒状フランジの端面に、筒の内側エッジが鋭角となるテーパーが形成されており、
前記前カバーと前記後カバーとの付合せ部の他方には、前記筒状フランジの端部が当接可能なフランジが外側に突出して形成され、該フランジの前記筒状フランジの端部が当接可能な端面に、前記筒状フランジの前記テーパーと合致するテーパー溝が設けられていることを特徴とする扇風機。
【請求項２】
前記持ち手は、前記前カバーに固定されており、前記前カバーと前記後カバーとの付合せ部は、前記持ち手によって覆われていることを特徴とする請求項１記載の扇風機。
【発明の詳細な説明】
【技術分野】
【０００１】
本発明は、持ち運び可能で、床に置いて使用される扇風機に関する。
【背景技術】
【０００２】
近年、家電製品においては、ユニバーサルデザインが重要視されるようになってきている。そして、家電製品の中では、扇風機も、使い易さ、デザイン、機能が、より多岐に亘るようになってきている。
【０００３】
使い勝手について、移動する機会が多く複雑な形状を有する扇風機は、高齢者などでも容易に持ち運びできるように、大きな持ち手を設けるものが主流になりつつある。
【０００４】
また、この持ち手を設ける位置については、持ち易い形状に設計できること、及び製品の上部に位置すること、などの理由から、樹脂成型品である電動機カバーに設けられるのが合理的、且つ使い勝手も良く一般的である。
【０００５】
また、この電動機カバーは、一般にそれぞれ一方が開口している有底の筒型形状（以下、「有底筒状」という）を有する前カバー及び後カバーの２つの部材で形成され、電動機の軸方向の両端側から電動機に被せ合せ、お互いを付合せて電動機を覆う構造をしている。そして、持ち手は、製品荷重を主として支える前カバー側に設けられるのが一般的である。さらに、持ち手は、より持ち易さを実現するために、手の指が羽根ガードに当たらないように前カバーの開口側の端部付近、すなわち前後カバーの付合せ部付近に設けられている。なお、成型金型の型割り位置の最適化の面からも、持ち手の端部で前後カバーを分割するのが合理的である。
【０００６】
以上のように、持ち手は、ユーザーの使用性及び製造の合理性の両面で最も効果的な位置、すなわち前カバーにおける前後カバー付合せ部付近の位置に設けられるようになってきている（例えば、特許文献１参照）。
【先行技術文献】
【特許文献】
【０００７】
【特許文献１】特開２００９−３６２１１号公報（図２）
【発明の概要】
【発明が解決しようとする課題】
【０００８】
近年の、電動機カバーに持ち手を有する扇風機は、特許文献１のように持ち手を前カバーにおける前後カバー付合せ部付近の位置に設けているため、製品を持ち上げた際の荷重で前後カバーの付合せ部に変形やずれが生じ、最悪の場合、前後カバーの付合せ部が外れる恐れがあった。このため、電動機カバーに持ち手を有する扇風機においては、前後カバーの付合せ部の強度確保が課題となっている。
【０００９】
また、製品が転倒した際にも、衝撃で前後カバーの付合せ部に変形やずれが生じ、外れにいたる恐れがある。
【００１０】
さらに、前後カバーは、有底筒状であり、互いの両端の面の部分で電動機またはギアボックス（首振り機構部）などの付随する構造物に結合されている。そして、持ち手が設けられる付合せ部付近は、電動機または付随する構造物から離れているため、前後カバーを形成する樹脂の強度で持ち手付近の強度を確保する必要がある。
【００１１】
一方、強度を確保するために、前後カバーの付合せ部付近で、中に収められた電動機あるいはギアボックス（首振り機構部）などに機械的に固定する構造とした場合、前後カバーは、それぞれ一方が閉じられた有底筒状であるため、前後カバーの開口部側に、内蔵物との固定構造を形成することになる。このため、金型構造が複雑になる、あるいは複雑な形状設計が必要になり、金型コスト、部品コストが高くなる等、新たな問題が発生する。加えて、組立てにおいても、カバーによりクローズする部分での固定構造となるため、複雑な作業が必要となり、生産性も悪くなる。
【００１２】
本発明は、前記のような課題を解決するためになされたもので、持ち手を設けた電動機カバーの、前カバーと後カバーとの付合せ部の強度を簡単な構造で確保できるようにすることを目的とする。
【課題を解決するための手段】
【００１３】
本発明に係る扇風機は、有底筒状の前カバー及び後カバーが互いの開口側端部を付き合わされた状態で分離可能に結合された電動機カバーと、電動機カバーに設けられた持ち手とを備えた扇風機であって、前カバーと後カバーとの付合せ部の一方には、他方の開口側端部が嵌入可能な筒状フランジが外側に突出して形成され、この筒状フランジの端面に、筒の内側エッジが鋭角となるテーパーが形成されており、前カバーと後カバーとの付合せ部の他方には、筒状フランジの端部が当接可能なフランジが外側に突出して形成され、このフランジの前記筒状フランジの端部が当接可能な端面に、筒状フランジの前記テーパーと合致するテーパー溝が設けられているものである。
【発明の効果】
【００１４】
本発明に係る扇風機においては、前カバーと後カバーとを付合せてこれらを結合した際に、筒状フランジの端部のテーパーが、他方のカバーのフランジのテーパー溝内に嵌入して、この他方のカバーのフランジと開口側端部との間に挟まれて拘束され、前カバーと後カバーとの付合せ部が一体化される。このため、電動機カバーに設けられた持ち手で製品を持ち上げた際に、荷重により、例えば筒状フランジ内に嵌入している側のカバーの開口側端部が上方向、つまり持ち上げられる方向に変形しても、筒状フランジもそれに伴って上側に押し上げられ、これらが一体となった変形をし、互いの付合せ部にずれが発生したり、外れに至ることが防止される。
また、付合せ部の一方の筒状フランジと他方のフランジは、それぞれ対応するカバーに外側に突出させて形成してあるため、付合せ部が変形する方向（筒の径方向）の厚みが増し、これにより簡単な構造で強度アップが図れ、変形自体も小さく抑えることができる。そして、付合せ部の変形が小さく抑えられることで、持ち手の強度、つまり持ち手で製品を持ち上げた際の持ち手の変形も小さく抑えることができ、ねじ固定などの複雑な手段を用いることなく持ち手の強度も確保することができる。
【図面の簡単な説明】
【００１５】
【図１】本発明の実施形態に係る扇風機の電動機部全体の構成を示す断面図である。
【図２】本発明の実施形態に係る扇風機の全体構成を示す側面図である。
【図３】本発明の実施形態に係る扇風機の電動機カバーの前カバーと後カバーとの付合せ部を拡大して示す斜視断面図である。
【図４】本発明の実施形態に係る扇風機の電動機カバーの前カバーと後カバーとの付合せ部を拡大して示す分解斜視断面図である。
【発明を実施するための形態】
【００１６】
図１は本発明の実施形態に係る扇風機の電動機部全体の構成を示す断面図である。図２は本発明の実施形態に係る扇風機の全体構成を示す側面図である。
本発明の実施形態に係る扇風機１００は、図１及び図２のように電動機１を覆う電動機カバー２０が、有底筒状の前カバー２と後カバー６とで形成され、これら前カバー２と後カバー６が互いの開口側端部を付き合わされた状態で分離可能に結合されている。すなわち、前カバー２と後カバー６は、それぞれ付合せ部に対し反対側が面形状となっており、これらの面で、前カバー２は電動機１に、後カバー６はギアボックス（首振り機構部）８に、それぞれ前カバー固定ねじ９、後カバー固定ねじ１０で固定されている。また、前カバー２には、持ち手５が設けられており、前カバー２と後カバー６との付合せ部は、平面的に見て持ち手５によって覆われるようになっている。また、前カバー２の面の外側（前方）には羽根１２が配置され、羽根１２を囲むように保護ガード１１が設けられている。
【００１７】
次に、前カバー２と後カバー６との付合せ部の詳細について図３及び図４により説明する。図３は本発明の実施形態に係る扇風機の電動機カバーの前カバーと後カバーとの付合せ部を拡大して示す斜視断面図である。図４は本発明の実施形態に係る扇風機の電動機カバーの前カバーと後カバーとの付合せ部を拡大して示す分解斜視断面図である。
図３及び図４に示すように、前カバー２と後カバー６との付合せ部の一方（ここでは後カバー６の付合せ部）には、前カバー２の開口側端部４が嵌入可能な筒状フランジ７が外側に突出して形成され、筒状フランジ７の端面に、筒の内側エッジが鋭角となるテーパー７ａが形成されている。また、前カバー２の後カバー６との付合せ部には、筒状フランジ７の端部が当接可能なフランジ３が外側に突出して形成され、このフランジ３の筒状フランジ７の端部が当接可能な端面に、筒状フランジ７のテーパー７ａと合致するテーパー溝３ａが設けられている。
【００１８】
本発明の実施形態に係る扇風機１００は、以上のように構成されているので、前カバー２と後カバー６とを付合せてこれらを結合した際に、後カバー６の筒状フランジ７の端部のテーパー７ａが、前カバー２のフランジ３のテーパー溝３ａ内に嵌入して、前カバー２のフランジ３と開口側端部４との間に挟まれて拘束され、前カバー２と後カバー６との付合せ部が一体化される。このため、電動機カバー２０に設けられた持ち手５で製品を持ち上げた際に、荷重により、筒状フランジ７内に嵌入している前カバー２の開口側端部４が上方向、つまり持ち上げられる方向に変形しても、筒状フランジ７もそれに伴って上側に押し上げられ、これらが一体となった変形をし、互いの付合せ部にずれが発生したり、外れに至ることが防止される。
【００１９】
また、付合せ部の一方の筒状フランジ７と他方のフランジ３は、それぞれ対応する後カバー６と前カバー２に外側に突出させて形成してあるため、付合せ部が変形する方向（筒の径方向）の厚みが増し、これにより強度アップが図れ、変形自体も小さく抑えることができる。さらに、この効果は、前述のフランジ３のテーパー溝３ａによる筒状フランジ７のテーパー７ａの拘束効果と相俟って、持ち手５の強度を高め、持ち手５で製品を持ち上げた際の持ち手５の変形も小さく抑えることができる。このため、持ち手５付近を内蔵物にねじ固定等することなく強度を確保することが可能となる。さらに、外側に突出して形成されている筒状フランジ７やフランジ３が、平面的に見て持ち手５によって覆われ、目立たなくなるので、意匠性を損なうことなく強度確保ができ、設計の自由度も増す。
【００２０】
また、製品が後方に転倒した場合は、後カバー６が前カバー２側に強く押し付けられる衝撃が発生するが、既述したように後カバー６の筒状フランジ７の端部のテーパー７ａが、前カバー２のフランジ３のテーパー溝３ａ内に嵌入して、前カバー２のフランジ３と開口側端部４との間に挟まれて拘束されているので、後カバー６が前カバー２の内側に入り込む、あるいは、後カバー６が前カバー２の外側に外れることが防止される。
【００２１】
同様の効果は、前後カバー２，６の結合部付近で、中に収められた電動機１あるいはギアボックス（首振り機構部）８などに機械的に固定することで得られるが、このような構造では既述したように、一方に閉じられた面を持つ有底筒状の前カバー２および後カバー６の開口部側に固定構造を形成する必要があり、金型構造の複雑化、金型コストの増大、組立ての複雑化、部品コストの増大、を伴い生産性が悪くなる。これに対し、本発明の実施形態に係る扇風機１００では、前述のような構成であるため、有底筒状の前カバー２および後カバー６の開口部側に固定構造を形成する必要がなく、従来と同じコスト、組立て性を実現した上で強度を確保することができる。
【００２２】
なお、ここでは端部にテーパー７ａを有する筒状フランジ７を後カバー６側に、テーパー溝３ａを有するフランジ３と開口側端部４を前カバー２側に、それぞれ配置したものを例に挙げて説明したが、これらの位置関係は逆でもよいことは言うまでもない。
【符号の説明】
【００２３】
１  電動機、２  前カバー、３  フランジ、３ａ  テーパー溝、４  開口側端部、５  持ち手、６  後カバー、７  筒状フランジ、７ａ  テーパー、８  ギアボックス、９  前カバー固定ねじ、１０  後カバー固定ねじ、１１  保護ガード、１２  羽根、２０  電動機カバー、１００  扇風機。
【図１】
0005693499.tif 000002
【図２】
0005693499.tif 000003
【図３】
0005693499.tif 000004
【図４】
0005693499.tif 000005